(57)【要約】      （修正有）【課題】摩擦でハードディスク接続ピンが損傷することを避けることの出来るハードディスク接続ピンの連結装置を提供すること。【解決手段】フロント基板はその両側にラグを有し、両差込溝を開設すると共に、相互に連通した空間を形成し、その中に数個のストッパーを設け、両差込溝の片側にそれぞれガイド溝を設けると共に、前記両ガイド溝を上下に隔てる両ガイド部を形成し、且つフロント基板後端上縁に突起ブロックを配置し、金属バネを両差込溝の中に差し込むと共に、両プッシュ部及び連結板によって構成されたプッシュ・ブロックを両差込溝の中に差し込み、前記プッシュ部の両側にはそれぞれガイド・ブロックが突き出てそれぞれ前記フロント基板の両ガイド溝の中に導入され、前記連結板は、両ガイド部の間に置かれる。【選択図】図１
0003122066.tif 000002
【実用新案登録請求の範囲】
【請求項１】
ハードディスク接続ピンの連結装置であって、
フロント基板と、
数組の金属バネと、
プッシュ・ブロックと、
リア基板と、を含み、
前記フロント基板は、その両側に貫通穴を開設したラグをそれぞれ形成し、且つ両ラグ上端面にそれぞれリテーナー・ブロックを設け、
フロント基板に両差込溝を開設すると共に、其の間を相互連通する空間とし、且つ両差込溝内部の適当な箇所に数個のストッパーを設置し、
両差込溝の各一方にガイド溝を開設し、
並びに両差込溝を上・下に隔てるガイド部を形成し、
且つフロント基板後端の適当なところに数個の突起ブロックを設置してあり、
前記金属バネは、適当なところを湾曲させて凸部をなし、両差込溝の中に置かれていて、
前記プッシュ・ブロックは、両プッシュ部及び連結板によって構成されると共に、両プッシュ部の両側にそれぞれガイド・ブロックを突起させ、
両プッシュ部下端に数個の開溝を配置し、
前記開溝の適当なところに接触バネを結合すると共に、前記接触バネを開溝の中に収容してあり、
前記接触バネ中間の適当なところにフロント基板のストッパーと接触する湾曲部を設け、
前記プッシュ・ブロックの後端に数本のガイド柱及び位置決め板をそれぞれ結合し、
前記ガイド・ブロックはそれぞれフロント基板の両ガイド溝の中に導入され、
前記連結板は、両ガイド溝の間に置かれ、
前記プッシュ・ブロックはガイド・ブロックによってフロント基板差込溝のガイド溝の中に差し込まれ、
前記リア基板の前端に差込口を開設すると共に、差込口から後ろへ両接続ピンを延伸し、
差込口の上端に数個のガイド穴を開設し、
ガイド穴の中にはそれぞれスプリングを入れ、且つ数個のガイド穴の間に位置決め穴をそれぞれ開設し、且つリア基板前端上縁に数個のノッチを配置し、
リア基板の両側にそれぞれ両ラグ間溝があり、
前記両ラグにはフロント基板のラグ貫通穴と対応する貫通穴を開設し、
前記両ラグ間溝の下縁にそれぞれリテーナー部を形成すると共に、両ラグ間溝の内側にそれぞれ突起ブロックを設けてあり、
前記リア基板の両ラグ間溝と前記フロント基板の両ラグとを相互に差し合わせることによって、リア基板のガイド穴とプッシュ・ブロックのガイド柱とが対応して嵌り合い、且つガイド穴の中のスプリングがガイド柱に圧接し、
リア基板の位置決め穴は、プッシュ・ブロックの位置決め板と対応して嵌り合い、且つ数組の金属バネを差込口に差し込み、前・後基板が相互に所定の位置まで差し合わさると、前記フロント基板両ラグのリテーナー・ブロックがリア基板の両ラグ間溝のリテーナー部に嵌合して、前・後基板を結合させて一体としたことを特徴とする、
ハードディスク接続ピンの連結装置。
【請求項２】
前記プッシュ・ブロックは、両側のガイド・ブロック及び連結板によってフロント基板差込溝のガイド溝の中に差し込まれることを特徴とする、請求項１に記載のハードディスク接続ピンの連結装置。
【請求項３】
前記プッシュ・ブロックは、外力に押されて所定の位置まで滑動すると、前記プッシュ・ブロックの接触バネ後端が金属バネの凸部に接触し、接触バネの前端は次第に上へ移動してハードディスク接続部品と接触して導通することを特徴とする、請求項１に記載のハードディスク接続ピンの連結装置。
【考案の詳細な説明】
【技術分野】
【０００１】
本考案は、ハードディスク接続ピンの連結装置に関し、特に前記ハードディスク接続ピンとハードディスクとをポイント接触方式のみによって連結し、ハードディスク接続ピン脱着中の摩擦による損壊を避けることの出来るハードディスク接続ピンの連結装置に関するものである。
【背景技術】
【０００２】
現在、市販中のコンピューター・ハードディスクは、基本的にＰＡＴＡ(即ち俗称ＩＤＥハードディスク)及びＳＡＴＡの二種類のハードディスクに分けられる。
従来ＰＡＴＡハードディスクのデータ伝送スピードは、ＳＡＴＡハードディスクのデータ伝送スピードより遥かに遅い。また、現在ＳＡＴＡハードディスクの市販価格もＰＡＴＡハードディスクと殆ど格差がないほど値下りしている。
このような状況下では、一般消費者がハードディスクを購入する時、ＳＡＴＡハードディスクを選択する機会は、従来のＰＡＴＡハードディスクより大きい。
【０００３】
現在は、まだＩＤＥインターフェースが市場の主流を占めているが、ＳＡＴＡハードディスクが次世代の主流となりつつある中で、ハードディスク・メーカーも積極的にこの市場に参入するであろう。
ＳＡＴＡハードディスクには、伝送スピードの優勢があるほか、ＳＡＴＡハードディスクの伝送線がＩＤＥの配線より細長い。又、前記ＳＡＴＡハードディスクの配線は、規範に依ると、１００メートル前後に及び、ＰＡＴＡハードディスク上限の４５センチを二倍以上も超えており、将来、コンピューター・ケースの煩雑な配線状態は改善され、しかもＳＡＴＡハードディスクは、ホット・プラグイン機能もサポートできるので、外付け用ハードディスクとして一層便利であり、別にアダプターを必要としない。
【０００４】
しかし、現存のコンピューターＳＡＴＡハードディスクの接続ピンとＳＡＴＡハードディスク連結線は、アダプターを通じた差し込み溝方式によって差し込み連結を行っている。ＳＡＴＡハードディスク接続ピンの表面に度重なる脱着中の摩擦要因が起ると、ハードディスク接続ピンの表面が損壊して接触不良現象が起り、データの保存や処理の上で、運営の最適化に重大な影響を及ぼす可能性がある。
以上のように従来の物品には、依然幾多の欠点があり、良い設計とは言いがたく、その改良が待たれていた。
【０００５】
そこで、本願の出願人は、さまざまなテスト及び実際検証を行い、接続が良好でハードディスクの接続ピンを損なうことがないのみならず、プラグアンドプレイを実現して、ＳＡＴＡのホットプラグイン機能を発揮させることが出来た。
【考案の開示】
【考案が解決しようとする課題】
【０００６】
本考案の目的は、プッシュ・ブロック内に結合された接触バネを通じて、プッシュ・ブロックが力を受けて後ろへ滑動すると、前記接触バネの湾曲部がフロント基板のストッパーに突き当って後ろへ滑動し、接触バネの前端を上の方へ動かし、ハードディスクの接続ピン及び接触バネをポイント接触方式のみで接触導通させ、ハードディスク接続ピンの長期使用脱着中の摩擦でハードディスク接続ピンが損傷する状況の発生を避けることの出来るハードディスク接続ピンの連結装置を提供することにある。
【０００７】
本考案の次の目的は、構造が簡単で、製作が容易、且つ低コストのハードディスク接続ピンの連結装置を提供することにある。
【課題を解決するための手段】
【０００８】
上記課題を達成するため、本考案に係るハードディスク接続ピンの連結装置は、フロント基板と、プッシュ・ブロックと、数組の金属バネと、数組のスプリングと、リア基板などの構成部品によって組成され、前記フロント基板の両側には、それぞれラグを設け、且つその上に貫通穴を開設してあり、又、前記フロント基板の上に、二つの差込溝を設置すると共に、両差込溝の一側面にそれぞれガイド溝を設け、且つ両差込溝を上・下に隔てるガイド部を形成し、又前記フロント基板後端上縁に数個の突起ブロックを設けてあり、数組の金属バネを両方の差込溝の中に差し込むと共に、プッシュ・ブロックを両方の差込溝の中に入れてあり、前記プッシュ・ブロックは、両プッシュ部及び連結板によって構成され、前記両プッシュ部の両側にはそれぞれガイド・ブロックが突き出ており、前記ガイド・ブロックはそれぞれフロント基板の両ガイド溝の中に導入され、前記連結板は、前記両ガイド部の間に収容されていて、又、ガイド・ブロック後端には数本のガイド柱及び位置決め板を設置し、両プッシュ部の下端には数枚の接触バネを差し込んであり、リア基板の両側には前記フロント基板ラグの貫通穴と対応する貫通穴を開設した両ラグ間溝があり、又、リア基板の前端には差込口を開設すると共に、差込口の上縁に数個のガイド穴と位置決め穴及びノッチを開設し、且つガイド穴の中にそれぞれスプリングを入れ、更に両ラグ間溝及びフロント基板のラグを相互に差し合わせることによってフロント基板及びリア基板を一体となし、更にロック部品によって前・後基板の対応する貫通穴をロックし、本案ハードディスクの接続ピンの連結装置を形成する。
上述各構成部品の組成によって、前記ハードディスクの接続部品を定点接触のみによって導通させ、ハードディスク接続ピンの長期使用脱着中の摩擦で、ハードディスクの接続ピンが損壊してユーザーに不便をもたらすことを避ける。
【０００９】
即ち、本願の第１考案に係るハードディスク接続ピンの連結装置は、ハードディスク接続ピンの連結装置であって、フロント基板と、数組の金属バネと、プッシュ・ブロックと、リア基板と、を含み、前記フロント基板は、その両側に貫通穴を開設したラグをそれぞれ形成し、且つ両ラグ上端面にそれぞれリテーナー・ブロックを設け、フロント基板に両差込溝を開設すると共に、其の間を相互連通する空間とし、且つ両差込溝内部の適当な箇所に数個のストッパーを設置し、両差込溝の各一方にガイド溝を開設し、並びに両差込溝を上・下に隔てるガイド部を形成し、且つフロント基板後端の適当なところに数個の突起ブロックを設置してあり、前記金属バネは、適当なところを湾曲させて凸部をなし、両差込溝の中に置かれていて、前記プッシュ・ブロックは、両プッシュ部及び連結板によって構成されると共に、両プッシュ部の両側にそれぞれガイド・ブロックを突設させ、両プッシュ部下端に数個の開溝を配置し、前記開溝の適当なところに接触バネを結合すると共に、前記接触バネを開溝の中に収容してあり、前記接触バネ中間の適当なところにフロント基板のストッパーと接触する湾曲部を設け、前記プッシュ・ブロックの後端に数本のガイド柱及び位置決め板をそれぞれ結合し、前記ガイド・ブロックはそれぞれフロント基板の両ガイド溝の中に導入され、前記連結板は、両ガイド溝の間に置かれ、前記プッシュ・ブロックはガイド・ブロックによってフロント基板差込溝のガイド溝の中に差し込まれ、前記リア基板の前端に差込口を開設すると共に、差込口から後ろへ両接続ピンを延伸し、差込口の上端に数個のガイド穴を開設し、ガイド穴の中にはそれぞれスプリングを入れ、且つ数個のガイド穴の間に位置決め穴をそれぞれ開設し、且つリア基板前端上縁に数個のノッチを配置し、リア基板の両側にそれぞれ両ラグ間溝があり、前記両ラグにはフロント基板のラグ貫通穴と対応する貫通穴を開設し、前記両ラグ間溝の下縁にそれぞれリテーナー部を形成すると共に、両ラグ間溝の内側にそれぞれ突起ブロックを設けてあり、前記リア基板の両ラグ間溝と前記フロント基板の両ラグとを相互に差し合わせることによって、リア基板のガイド穴とプッシュ・ブロックのガイド柱とが対応して嵌り合い、且つガイド穴の中のスプリングがガイド柱に圧接し、リア基板の位置決め穴は、プッシュ・ブロックの位置決め板と対応して嵌り合い、且つ数組の金属バネを差込口に差し込み、前・後基板が相互に所定の位置まで差し合わさると、前記フロント基板両ラグのリテーナー・ブロックがリア基板の両ラグ間溝のリテーナー部に嵌合して、前・後基板を結合させて一体としたことを特徴とするものである。
【００１０】
本願の第２考案に係るハードディスク接続ピンの連結装置は、前記第１考案において、前記プッシュ・ブロックは、両側のガイド・ブロック及び連結板によってフロント基板差込溝のガイド溝の中に差し込まれることを特徴とする。
【００１１】
本願の第３考案に係るハードディスク接続ピンの連結装置は、前記第１考案において、前記プッシュ・ブロックは、外力に押されて所定の位置まで滑動すると、前記プッシュ・ブロックの接触バネ後端が金属バネの凸部に接触し、接触バネの前端は次第に上へ移動してハードディスク接続部品と接触して導通することを特徴とする。
【考案の効果】
【００１２】
本考案に係るハードディスク接続ピンの連結装置は、従来技術に比べて、以下のような長所がある。
本考案は、プッシュ・ブロックの中に結合した接触バネによって、プッシュ・ブロックが接触バネの前端を上下に動かす方式で、定点接触方式のみによってハードディスクの接続部品に接触し、ハードディスク接続ピンの長期使用脱着中の摩擦により、ハードディスク接続ピンが損傷することを回避することができる。
【考案を実施するための最良の形態】
【００１３】
図１、図２は、本考案に係るハードディスク接続ピンの連結装置である。
ハードディスク接続ピンの連結装置は、主として、フロント基板１と、数組の金属バネ２と、プッシュ・ブロック３と、数組のスプリング４５と、リア基板４などの構成部品によって構成される。
【００１４】
前記フロント基板１の両側には、それぞれラグ１１を設け、且つその上に貫通穴１１２を開設してある。
前記両ラグ１１の上端面にそれぞれリテーナー・ブロック１１１を設ける。
又、前記フロント基板１の前端に、二つの差込溝１２を設置すると共に、両差込溝１２間を相互に連通した空間とする。
両差込溝１２の前端に数個のストッパー１２１を設ける。両差込溝１２の各一側面にそれぞれガイド溝１２２を設け、且つ両差込溝１２を上・下に隔てる両ガイド部１２３を形成する。前記フロント基板１の後端上縁に数個の突起ブロック１３を設けてある。
【００１５】
前記数組の金属バネ２前端の適当なところを折り曲げて凸部２１を形成し、両差込溝１２の中に差し込んで収納する。
前記プッシュ・ブロック３は、両プッシュ部３１及び連結板３２によって構成される。
前記両プッシュ部３１の両側には、それぞれフロント基板１のガイド溝１２２と対応するガイド・ブロック３３が突き出ている。
又、両プッシュ部３１の下端には数個の開溝３４を配置すると共に、開溝３４の中に接触バネ３５を結合してある。
前記接触バネ３５の適当な箇所に湾曲部３５１を形成することによって、フロント基板１のストッパー１２１と抵触させる。
【００１６】
又、プッシュ部３１の後端にはそれぞれ数本のガイド柱３６を設ける。
ガイド柱３６の間には位置決め板３７を設置してある。
前記プッシュ・ブロック３は、両側のガイド・ブロック３３によってそれぞれフロント基板１の両ガイド溝１２２の中に導入される。
前記連結板３２は、上・下ガイド部１２３の間に収容される。前記接触バネ３５は、導通材質であってよい。
【００１７】
前記リア基板４の前端に差込口４１を開設すると共に、差込口４１の後ろへ両接続ピン４１１を延伸する。
又、差込口４１の上端に数個のガイド穴４３を開設する。
前記ガイド穴４３の中にそれぞれスプリング４５を入れる。
前記数個のガイド穴４３にはそれぞれ位置決め穴４４を設ける。更にその上縁に数個のノッチ４２を配置してある。
【００１８】
又、前記リア基板４の両側にはそれぞれ両ラグ間溝４６がある。
両ラグ間溝４６にはフロント基板１のラグ１１の貫通穴１１２と対応する貫通穴４６１が開設されている。
又、両ラグ間溝４６の下縁にそれぞれリテーナー部４６２を形成する。
両ラグ間溝４６の中からそれぞれ突起ブロック４６３を突き出し、この突起ブロック４６３によって前・後基板１・４を相互に嵌め合わせ接続させ、前・後基板１・４の嵌め合わせ緊密度を増強している。
【００１９】
前記リア基板４の両ラグ間溝４６及びフロント基板１の両ラグ１１を相互に嵌め合わせると、リア基板４のガイド穴４３とプッシュ・ブロック３のガイド柱３６が対応して嵌め合わせられる。
ガイド穴４３の中のスプリング４５がガイド柱３６と圧接する。
又、リア基板４の位置決め穴４４をプッシュ・ブロック３の位置決め板３７に対応して嵌め込むことによって、プッシュ・ブロック３をリア基板４の上で滑動させ、且つ数組の金属バネ２を差込口４１の中に差し入れてある。
【００２０】
又、前・後基板１・４を相互に嵌め合わせて所定の位置に来ると、前記フロント基板１の両ラグ１１のリテーナー・ブロック１１１がリア基板４の両ラグ間溝４６のリテーナー部４６２に嵌合して、前・後基板１・４を更に強く結合させる。
前・後基板１・４が結合して一体になると、ロック部品によって前・後基板１・４の対応する貫通穴１１２・４６１に固定される。前記ロック部品は、ボルト又はその他の固定部品であってよい。
上述各構成部品を組成して、本件ハードディスク接続ピンの連結装置を形成する。
【００２１】
図３Ａ，図３Ｂ，図３Ｃは、前記ハードディスク接続ピンの連結装置のハードディスク接続ピン連結略図である。
本装置のフロント基板１の両差込溝１２をハードディスク５の（例えば、ＳＡＴＡハードディスク）接続部品５１に差し込むことによって、相互に連結導通させる。
更に二本の接続線６によって、それぞれ本考案の連結装置の接続ピン４１１に差し込み、他方の一端をコンピューターのメインボードに接続すると（図示せず）、連結して使用することができる。
【００２２】
その連結方式は、ハードディスク５を差し込む時、前記プッシュ・ブロック３のプッシュ部３１がハードディスク５の接続部品５１に押されて、プッシュ・ブロック３を後ろへ滑動させ、プッシュ・ブロック３後端のガイド柱３６及び位置決め板３７が同期して押され、且つリア基板４のガイド穴４３及び位置決め穴４４の中に導引される。
【００２３】
この時、前記プッシュ・ブロック３の接触バネ３５の後端部が先ず金属バネ２の凸部２１と接触し、引き続き後ろへ滑動すると、前記プッシュ・ブロック３の接触バネ３５の湾曲部３５１がフロント基板１の中のストッパー１２１に止められて、接触バネ３５の前端部が上に動き、且つハードディスク５の接続部品５１と接触して導通する。
ハードディスク５を抜き出すと、前記プッシュ・ブロック３のガイド柱３６は、スプリング４５の回復力によって、プッシュ・ブロック３を前へ滑動させる。
【００２４】
前記プッシュ・ブロック３の接触バネ３５の後端部が先ず金属バネ２の凸部２１から離れ、且つストッパー１２１に止められなくなり、接触バネ３５の前端部が下へ動き、接続部品５１から離れる。
この時、金属バネ２がハードディスク５の接続部品５１と分離して連結前の状態に戻り、ハードディスク５が再び連結されるのを待つ。
上述の連結方式によって、良好な連結が達成できるのみならず、ハードディスク５の接続部品５１の接触面を損壊することもなく、且つ同様にプラグアンドプレイの機能を有する。
【００２５】
本考案に係る連結装置は、外部接続方式のほかに、外付け用ハードディスク・ケースと組合わせて使用することもできる。
本考案は、構造が簡単で、制作が容易且つ低コストの簡易構造を提供することができる。
上記した詳細な説明は、本考案の実施可能な一実施例の具体的説明であって、前記実施例は実用新案登録請求範囲を制限するものではない。
凡そ本考案の創作技芸精神を逸脱せずなされる等価実施又は変更は、全て本考案に含まれるものとする。
【図面の簡単な説明】
【００２６】
【図１】本考案に係るハードディスク接続ピンの連結装置の斜視分解図である。
【図２】前記ハードディスク接続ピンの連結装置の斜視結合図である。
【図３Ａ】前記ハードディスク接続ピン連結装置のハードディスク接続ピン連結略図である。
【図３Ｂ】前記ハードディスク接続ピン連結装置のハードディスク接続ピン連結略図である。
【図３Ｃ】前記ハードディスク接続ピン連結装置のハードディスク接続ピン連結略図である。
【符号の説明】
【００２７】
１・・・・・・フロント基板
１１・・・・・ラグ
１１１・・・・リテーナー・ブロック
１１２・・・・貫通穴
１２・・・・・差込溝
１２１・・・・ストッパー
１２２・・・・ガイド溝
１２３・・・・ガイド部
１３・・・・・突起ブロック
２・・・・・・金属バネ
２１・・・・・突起部
３・・・・・・プッシュ・ブロック
３１・・・・・プッシュ部
３２・・・・・連結板
３３・・・・・ガイド・ブロック
３４・・・・・開溝
３５・・・・・接触バネ
３５１・・・・湾曲部
３６・・・・・ガイド柱
３７・・・・・位置決めプレート
４・・・・・・リア基板
４１・・・・・差込口
４１１・・・・接続ピン
４２・・・・・ノッチ
４３・・・・・ガイド穴
４４・・・・・位置決め穴
４５・・・・・スプリング
４６・・・・・両ラグ間溝
４６１・・・・貫通穴
４６２・・・・リテーナー部
４６３・・・・突起ブロック
５・・・・・・ハードディスク
５１・・・・・接続部品
６・・・・・・連結線
【図１】
0003122066.tif 000003
【図２】
0003122066.tif 000004
【図３Ａ】
0003122066.tif 000005
【図３Ｂ】
0003122066.tif 000006
【図３Ｃ】
0003122066.tif 000007